(57)【要約】  圧縮力または引張力を生成する接着式に装着された片面クランプ状装置（２）は、胴体（４）と、胴体に移動可能に接続されたプランジャ（６）と、胴体およびプランジャのうちの少なくとも一方に取り付けられた両面延伸剥離接着剤（８ａ、８ｂ）とを含む。胴体および／またはプランジャは表面または物体に固着するとともに、後で接着剤を延伸することにより表面を損傷せずに且つ接着剤残渣を残さずに表面またはプランジャからきれいに除去することができる。
2007510551.tif 000002
【特許請求の範囲】
【請求項１】
（ａ）胴体と、
（ｂ）前記胴体に移動可能に接続されたプランジャと、
（ｃ）前記胴体および前記プランジャのうちの少なくとも一方に取り付けられた両面延伸剥離接着剤とを備える、物体または表面に引張力または圧縮力を加える装置。
【請求項２】
前記延伸剥離接着剤が前記胴体に取り付けられている請求項１に記載の装置。
【請求項３】
前記延伸剥離接着剤が前記プランジャに取り付けられている請求項１に記載の装置。
【請求項４】
前記胴体が貫通孔を含む接続部と、前記接続部の両側から同一方向に延びる一対の脚部と、各脚部の端部に配置された一対の足部とを含む請求項１に記載の装置。
【請求項５】
各足部に前記胴体を表面に取り付けるための延伸剥離接着剤が設けられている請求項４に記載の装置。
【請求項６】
前記プランジャが前記胴体部材に摺動可能に接続され、さらに前記装置が前記プランジャを前記表面の方向に付勢するように配置された力生成部材を含む請求項１に記載の装置。
【請求項７】
前記力生成部材がばねである請求項６に記載の装置。
【請求項８】
前記胴体が本体部と前記本体部から横方向に外側に延びているカンチレバー部とを含み、前記プランジャが前記カンチレバー部に移動可能に接続されている請求項１に記載の装置。
【請求項９】
前記プランジャが延伸剥離接着剤を受容するようになっている頭部を含む請求項１に記載の装置。
【請求項１０】
前記プランジャが把手を含む請求項７に記載の装置。
【発明の詳細な説明】
【技術分野】
【０００１】
本発明は、一般に、表面または物体に圧縮力または引張力のいずれかを加えるために利用可能な装置に関し、特に延伸剥離接着剤を用いて表面に取り付けることにより表面に固定可能であるが表面を損傷することなく表面から容易に且つきれいに除去し得る装置に関する。
【背景技術】
【０００２】
吸引取り付け可能なクランプは従来技術において既知である。特許文献１（ヒース（Ｈａｅｓｅ））は例えば成形品または装着ブラケットなどの物体をフロントガラスなどの表面に対して保持するための吸引取り付け可能な保持クランプを開示している。特許文献２（コナー（Ｃｏｎｎｅｒ））は接着剤が固化または乾燥している間、成形品を自動車のフロントまたはリアガラス上の正しい位置に保持するとともに、同時に隣接する表面の損傷を防止する吸引クランプを開示している。しかしこのようなクランプは締付力または圧縮力を生成することに限定され、さらに金属またはガラスなどのきれいで若干湿った非多孔表面で最もよく作用する。
【０００３】
そのためクランプとしてのみならず必要な場合に牽引力または引張力を作用させる装置としても機能できる装置が必要である。また多様な最終用途に利用可能であるとともに多様な条件で多様な表面上で利用可能な装置が必要である。
【０００４】
そのため表面に固定可能であるとともに表面を損傷せずにまた無用な残渣を残さずに容易に除去可能であり、圧縮力を作用させるクランプおよび牽引力または引張力を生じる装置の両方として利用可能な、単純且つ低価格の片面クランプ状装置を提供することが望ましい。金属、ガラス、紙、石、および未仕上げ木材を始めとする多様な表面上で利用可能であり、金属またはガラスなどの非多孔表面上での利用に限定されない装置を提供することが望ましい。
【特許文献１】米国特許第５，８２０，１１６号明細書
【特許文献２】米国特許第４，４５７，５０３号明細書
【発明の開示】
【発明が解決しようとする課題】
【０００５】
本発明は表面に適用可能であるとともにクランプとしてのみならず、表面または物体上の選択箇所で牽引力または引張力を生成するのに利用可能な単純且つ低価格の片面クランプ状装置を提供することにより、当該分野の上記の制約を克服する。また本発明は紙、木、および石を始めとする多様な表面上で利用可能であり、金属およびガラスなどの非多孔表面上での利用に限定されない装置も提供する。
【課題を解決するための手段】
【０００６】
一実施形態において本発明は、胴体と、胴体に移動可能に接続されたプランジャと、胴体およびプランジャのうちの少なくとも一方に取り付けられた両面延伸剥離接着剤とを備え、胴体および／またはプランジャを表面に固着するとともに、接着剤を延伸することにより表面を損傷せずに表面からきれいに除去することができる、物体または表面に引張力または圧縮力を加える装置を提供する。
【０００７】
本発明の特定の態様において延伸剥離接着剤が胴体に取り付けられている。他の態様において延伸剥離接着剤がプランジャに取り付けられている。
【０００８】
一実施形態において胴体が貫通孔を含む接続部と、接続部の両側から同一方向に延びる一対の脚部と、各脚部の端部に垂直に配置された一対の足部とを含む。各足部に胴体を表面に取り付けるための延伸剥離接着剤が設けられている。
【０００９】
本発明の一態様においてプランジャが胴体にねじ接続されていることにより、プランジャを時計回りおよび反時計回りに回転して圧縮力および引張力を生じることができる。他の態様においてプランジャが胴体に摺動可能に接続され、さらにプランジャがばね等によって付勢されて力を生じる。
【００１０】
他の実施形態において胴体が本体部と本体部から横方向に外側に延びているカンチレバー部とを含み、プランジャがカンチレバー部に移動可能に接続されている。
【００１１】
他の態様においてプランジャには延伸剥離接着剤を受容するようになっている頭部が設けられている。またプランジャが頭部と反対側に把手を含むことによりプランジャの手動操作を容易にし得る。
【００１２】
特定の態様において以前には圧縮力および引張力を生成するために２つの別体の装置が必要とされた場合に、本発明を代わりに用いて圧縮（すなわち締付）力または引張（すなわち牽引）力のいずれかを生じ得る。
【００１３】
本発明をホットメルト接着剤、のりまたはエポキシ樹脂などの接着剤が固化、乾燥、または硬化する間、物体を正しい位置に保持するなどの多様な使途および用途に用いることができる。これは例えばエポキシ樹脂を用いて石鹸皿をセラミックタイル壁に装着するのに有用であり得る。さらにこの装置を用いて１つまたは複数の品目を装飾品、バナーまたはフラグなどの表面上に除去可能に装着することにより、その装置自体を表面から除去せず単に装置を緩めてそれらの品目を除去することにより、それらの品目を容易に且つ繰り返し除去および／または再配置し得る。またこの装置に鋭端またはドリル用ビットを設けて表面または物体内に印を付け、突き刺しまたは穴を形成し得る。本発明は木工細工、クラフトにおける使途があり、または家庭、オフィスまたは産業用途の他の使途がある。例えば本発明を用いて紙片または木片に刻印またはエンボス加工し得る。
【００１４】
添付の図面を参照して本発明をさらに説明する。
【発明を実施するための最良の形態】
【００１５】
ここで図面を参照すると図１および２は胴体部材４と、胴体部材４に回転可能に取り付けられたプランジャ部材６と、胴体部材４に取り付けられて胴体部材４を表面１０に除去可能に接着する一対の両面延伸剥離接着片８ａと、プランジャ部材６を表面１０またはプランジャ部材６と表面１０との間に配置された物体（図示せず）のいずれかに接着するプランジャ６に取り付けられた両面延伸剥離接着片８ｂとを含む装置２を示している。
【００１６】
延伸剥離接着剤は強力な保持力ときれいに除去することおよび表面損傷が無いことと組み合わせた高性能粘着剤の種類を表わす。このような延伸剥離接着剤は多様な組立、接合、取り付け、および装着用途に有用である。両面接着片８ａ、ｂは伸縮性裏地を有する延伸剥離接着テープ、高伸張性且つ実質的に非弾性裏地を有する延伸剥離接着テープ、または固体弾性粘着剤を備える延伸剥離接着テープを始めとする任意の従来既知の延伸剥離接着テープでもよい。
【００１７】
本発明の様々な実施形態での使用に適当な特定のテープには、米国特許第４，０２４，３１２号明細書（コープマン（Ｋｏｒｐｍａｎ））に記載の弾性裏地を有する粘着テープ、米国特許第５，５１６，５８１号明細書（クレッケル（Ｋｒｅｃｋｅｌ）ら）およびブリーズ（Ｂｒｉｅｓ）ら（米国特許第６，２３１，９６２号明細書）に記載の高伸張性且つ実質的に非弾性裏地を有する粘着テープ、および独国特許発明第３３３１０１６号明細書に記載の固体弾性粘着剤がある。
【００１８】
適当な市販の両面延伸剥離接着剤は、ミネソタ州セントポールのスリーエム・カンパニー（３Ｍ  Ｃｏｍｐａｎｙ，Ｓｔ．Ｐａｕｌ，Ｍｉｎｎｅｓｏｔａ）によるコマンド（ＣＯＭＭＡＮＤ）接着剤という商標名で販売されている製品である。この製品は一端が除去時にその延伸を容易にするための非接着性プルタブを含む個別片として現在製造されている。
【００１９】
図示の実施形態では胴体部材４はプランジャ部材６を受容するねじ切り開口１２を含む橋部４ａと、橋部４ａの両側から同一方向に垂直に延びる一対の平行脚部４ｂと、脚部４ｂの端部から反対方向に外側に延びる一対の足部４ｃとを含む。接着片８ａは足部４ｃの底面に添付されて胴体部材４を表面１０に接着することにより、装置２を表面１０に固着する。
【００２０】
プランジャ６は概して橋部４ａに垂直に配置されるとともに、胴体部材４内の開口１２に回転可能に係合する円筒状ねじ切り胴体部６ａと、胴体部６ａの一端に配置されてプランジャ６の手動回転を容易にする把手１４と、胴体部６ａの把手１４と反対側の端部に配置された頭部１６とを含む。把手１４が胴体部材４の橋部４ａの上方に配置されていることにより、ユーザは把手１４に容易にアクセスし、それによりプランジャ６を手動回転することができる。頭部１６は橋部４ａの下方に配置されており、把手１４によるプランジャ６の回転動作によって、表面に圧縮力を加える表面１０の方向か、表面に対して引張力を生じる表面１０から離れる方向のいずれかに軸方向に移動可能である。頭部１６は滑り嵌め型接続で好適にプランジャ６に接続されることにより、胴体部６ａおよび頭部１６が独立して移動できる。すなわちプランジャ６の胴体部６ａが回転すると、頭部１６は枢動して表面との接触を維持し得るが回転はしない。
【００２１】
装置２を用いて表面１０またはプランジャ６と表面１０との間に配置された物体（図示せず）に力を加えるためには、プランジャ６は頭部１６が表面１０の方向に移動するように回転される。プランジャ６が表面１０の方向に移動して係合すると、圧縮力が表面１０にまたは物体に作用する。装置がこのように（すなわち圧縮力を生じるクランプとして）用いられる場合、接着片８ａは装置２を表面１０と係合状態に維持するために必要であるが、プランジャ６が圧縮により表面１０と接触状態に維持されるため接着片８ｂは必要ないことは理解されよう。換言すれば装置２をクランプとして用いる場合、プランジャ６は表面１０に対して押し付けられ、表面１０は胴体部材４を表面１０から離間させるとともに、接着片８ａが胴体部材４を表面１０と接触状態に保持する役目をすることにより、プランジャ６は表面に圧縮力を作用させることができる。装置２を表面１０から取り外すには、各接着片８ａを既知の方法で延伸して接着片を装置と関連の表面とから同時に剥離する。
【００２２】
逆に装置２を用いて表面１０または表面１０と頭部１６との間に配置された物体（図示せず）に牽引力または延伸力を生じるためには、延伸剥離接着片８ｂを頭部１６に取り付けることにより、プランジャ６を表面１０にまたは頭部１６と表面１０との間に配置された物体（図示せず）に接着する。プランジャ６を頭部１６が表面１０から離れるように回転させると、引張力が表面１０上または物体上に作用する。このように（すなわち表面に対して引張力を生じる牽引装置として）用いられる場合、接着片８ｂはプランジャ６を表面１０または物体に取付けるために必要であるが、装置は圧縮により表面１０と接触状態に維持されるため、装置２を表面に固定させるために接着片８ａは必要ないことは理解されよう。
【００２３】
図３は本発明の他の実施形態による装置１０２を示す。装置１０２はプランジャ１０６を表面１１０に向かってまたは離れるように推進するばね１２０を含むことによりそれぞれ表面１１０上に圧縮力または引張力を生じること以外は図１および２に示した装置２と同様である。
【００２４】
装置１０２は胴体部材１０４と、胴体部材１０４に移動可能に接続されたプランジャ部材１０６と、胴体部材１０４に取り付けられて胴体部材１０４を表面１１０に除去可能に接着する一対の両面延伸剥離接着片１０８ａと、プランジャ１０６を表面１１０またはプランジャ１０６と表面１１０との間に配置された物体（図示せず）に接着するプランジャ１０６に取り付けられた両面延伸剥離接着片１０８ｂとを含む。
を含む。
【００２５】
胴体部材１０４はプランジャ１０６を摺動可能に受容する開口１１２を含む橋部１０４ａと、橋部１０４ａの両側から同一方向に垂直に延びる一対の平行脚部１０４ｂと、脚部１０４ｂの端部から反対方向に外側に延びる一対の足部１０４ｃとを含む。接着片１０８ａは足部１０４ｃの底面に添付されて胴体部材１０４を表面１１０に接着することにより、装置１０２を表面１１０に固着する。
【００２６】
プランジャ１０６は概して橋部１０４ａに垂直に配置されるとともに、胴体部材１０４内の開口１１２に摺動可能に係合する円筒状胴体部１０６ａと、胴体部材１０６ａの一端に配置されてプランジャ１０６の手動操作を容易にする把手１１４と、胴体部１０６ａの把手１１４と反対側の端部に配置された頭部１１６とを含む。把手１１４が胴体部材１０４の橋部１０４ａの上方に配置されていることにより、ユーザは把手１１４に容易にアクセスし、それによりプランジャ１０６を手動操作することができる。
【００２７】
ばね１２０が装置１０２の橋部１０４ａと頭部１１６との間に配置されている。プランジャ１０６を表面１１０から離れるように上方に手動推進すると、ばね１２０は圧縮されるとともに頭部１１６を表面１１０の方向に付勢する。装置をこのように（すなわち圧縮力を生じるクランプとして）用いる場合、接着片１０８ａは装置１０２を表面１１０と係合状態に維持するために必要であるが、プランジャ１０６が圧縮により表面１１０と接触状態に維持されるため接着片１０８ｂは必要ないことは理解されよう。換言すれば装置１０２をクランプとして用いる場合、プランジャ１０６はばね１２０により表面１１０に対して押し付けられ、表面１１０は胴体部材１０４を表面１１０から離間させるとともに、接着片１０８ａが胴体部材１０４を表面１１０と接触状態に保持する役目をすることにより、プランジャ１０６は表面に圧縮力を作用させることができることは理解できよう。装置１０２を表面１１０から取り外すには、各接着片１０８ａを既知の方法で延伸して接着片を装置と表面とから同時に剥離する。
【００２８】
代替的にはばね１２０は、ばねが表面１１０の方向に下方に推進されるとばねが引っ張られた状態に置かれるように、橋部１０４ａと頭部１１６とに取り付けられた引張ばねでもよい。このように頭部１１６を接着片１０８ｂにより表面１１０に取り付けると、表面１１０上に引張力が生じる。このように（すなわち表面に対して引張力を生じる牽引装置として）用いる場合、接着片１０８ｂはプランジャ１０６を表面１１０または物体に取り付けるために必要であるが、装置は圧縮により表面１１０と接触状態に維持されるため、装置１０２を表面に固定するために接着片１０８ａは必要ないことは理解されよう。
【００２９】
図１および２の装置２と同様に、頭部１１６は滑り嵌め型接続で好適にプランジャ１０６に接続されることにより、胴体部１０６ａおよび頭部１１６が独立して移動することができる。
【００３０】
図４は胴体部材２０４と、胴体部材２０４に回転可能に取り付けられたプランジャ部材２０６と、胴体部材２０４に取り付けられて胴体部材２０４を表面２１０に除去可能に接着する一対の両面延伸剥離接着片２０８ａと、プランジャ部材２０６を表面２１０またはプランジャ部材２０６と表面２１０との間に配置された物体２１８に接着するプランジャ２０６に取り付けられた両面延伸剥離接着片２０８ｂとを含む、本発明の代替実施形態による装置２０２を示す。図４の装置は図１〜３に示した装置が嵌らない角部などの狭い箇所で引張力または圧縮力を生成するのに特に適している。
【００３１】
胴体部材２０４は本体部２０４ａとプランジャ部材２０６を受容するねじ切り開口２１２を含むカンチレバー部２０４ｂとを含む。カンチレバー部２０４ｂは本体部２０４ａから横方向に外側に延びている。接着片２０８ａは本体部２０４ａの底部に添付されて胴体部材２０４を表面２１０に接着することにより、装置２０２を表面２１０に固着する。
【００３２】
プランジャ２０６は概してカンチレバー部２０４ｂに垂直に配置されるとともに、胴体部材２０４内の開口２１２に回転可能に係合する円筒状ねじ切り胴体部２０６ａと、胴体部２０６ａの一端に配置されてプランジャ２０６の手動回転を容易にする把手２１４と、胴体部２０６ａの反対側の端部に配置された頭部２１６とを含む。把手２１４が胴体部材２０４のカンチレバー部２０４ｂの上方に配置されていることにより、ユーザは把手２１４に容易にアクセスし、それによりプランジャ２０６を手動調整することができる。頭部２１６はカンチレバー部２０４ｂの下方に配置されており、把部２１４によりプランジャ２０６を回転することによって、表面に力を加える表面２１０の方向か、表面に対して引張力を生じる表面２１０から離れる方向のいずれかに回転可能に推進し得る。
【００３３】
装置２０２を用いて図１および２の装置と同様の方法で物体２１８に力を加える、すなわち頭部２１６が表面２１０の方向に移動するようにプランジャ２０６を回転させる。プランジャ２０６が物体２１８の方向に移動して係合すると、圧縮力が物体２１８に作用することになる。そして装置２０２を用いて物体２１８に牽引力または延伸力を付与するには、延伸剥離接着片２０８ｂを頭部２１６に取り付けることによりプランジャ２０６を物体２１８に接着する。このように頭部２１６が表面２１０から離れるように移動するようにプランジャ２０６を回転させると、引張力が物体２１８に作用することになる。
【００３４】
カンチレバー設計のため図４の装置２０２は図１および２の装置２より不安定である。そのため図４の装置２０２を圧縮力を生じるクランプ装置または引張力を生じる牽引装置のいずれかとして用いる場合、延伸剥離接着片２０８ａを含んで胴体部材２０４を支持表面２１０上に固着して固定することが望ましい。図１および２の装置２と同様に装置２０２を用いて引張力を生成する場合は接着片２０８ｂが必要であるが、装置をクランプとして用いる場合、接着片２０８ｂを省略し得る。
【００３５】
胴体部材およびプランジャの両方を含む装置を、装置の特定の最終用途に応じて多様な材料で形成し得る。適当な材料には鋼鉄などの金属、ポリカーボネートおよびポリ塩化ビニルなどの合成プラスチック材料、および木材がある。適正な強度、低コスト、および製造容易性などの所望の特性の組み合わせを提供する限り特定の選択材料は本明細書の発明にとって重要ではない。
【００３６】
当業者には上記の本発明の概念から逸脱することなく様々な変形および変更をなし得ることは明らかであろう。例えば装置をある特定の最終用途に適応させるように装置の大きさおよび形状を変更し得ること、胴体部材およびプランジャをねじ切り接続以外の手段によって移動可能に取り付け得ること、接着片の数および大きさを変え得ること、装置の意図する最終用途に応じてプランジャに鋭端、ドリル用ビット、または他の器具を設け得ること、およびカンチレバー部２０４ｂの場所を移動可能であることは理解されよう。このように本発明の範囲は本出願に記載された構造に限定されず、特許請求の範囲の文言により記載された構造とそれらの構造の同等物とによってのみ限定されるものである。
【図面の簡単な説明】
【００３７】
【図１】本発明による装置の斜視図である。
【図２】図１の２−２線に沿った断面図である。
【図３】本発明の第２の実施形態の側面断面図である。
【図４】本発明の第３の実施形態の側面断面図である。
【図１】
2007510551.tif 000003
【図２】
2007510551.tif 000004
【図３】
2007510551.tif 000005
【図４】
2007510551.tif 000006
【手続補正書】
【提出日】平成18年2月16日(2006.2.16)
【手続補正１】
【補正対象書類名】特許請求の範囲
【補正対象項目名】全文
【補正方法】変更
【補正の内容】
【特許請求の範囲】
【請求項１】
（ａ）胴体と、
（ｂ）前記胴体に移動可能に接続されたプランジャと、
（ｃ）前記胴体および前記プランジャのうちの少なくとも一方に取り付けられた両面延伸剥離接着剤とを備え、前記両面延伸剥離接着剤が固着を提供するとともに物体または表面からきれいに剥離し得る、物体または表面に引張力または圧縮力を加える装置。
【請求項２】
前記延伸剥離接着剤が前記胴体に取り付けられている請求項１に記載の装置。
【請求項３】
前記延伸剥離接着剤が前記プランジャに取り付けられている請求項１に記載の装置。
【請求項４】
前記胴体が貫通孔を含む接続部と、前記接続部の両側から同一方向に延びる一対の脚部と、各脚部の端部に配置された一対の足部とを含む請求項１に記載の装置。
【請求項５】
各足部に前記胴体を表面に取り付けるための延伸剥離接着剤が設けられている請求項４に記載の装置。
【請求項６】
前記プランジャが前記胴体部材に摺動可能に接続され、さらに前記装置が前記プランジャを前記表面の方向に付勢するように配置された力生成部材を含む請求項１に記載の装置。
【請求項７】
前記力生成部材がばねである請求項６に記載の装置。
【請求項８】
前記胴体が本体部と前記本体部から横方向に外側に延びているカンチレバー部とを含み、前記プランジャが前記カンチレバー部に移動可能に接続されている請求項１に記載の装置。
【請求項９】
前記プランジャが延伸剥離接着剤を受容するようになっている頭部を含む請求項１に記載の装置。
【請求項１０】
前記プランジャが把手を含む請求項７に記載の装置。
【国際調査報告】
2007510551.tif 000007
2007510551.tif 000008
2007510551.tif 000009